(57)【要約】【課題】患者の容態に異常が発生した時点の過去の患者の画像を確認できるようにする。また、患者の容態に異常が発生した時点の過去の患者の生体データを確認できるようにする。【解決手段】画像処理サーバ１２は、動画データを、ＬＡＮ１００を介して患者端末２０から受信し、画像データベース１２５に記憶させる。生体情報処理サーバ１１は、生体データを、ＬＡＮ１００を介して患者端末２０から受信し、生体データベース１１５に記憶させる。制御部１１１は、受信した生体データが正常であるか否かを判定する。生体データに異常が発生したと判定した場合には、制御部１１１は、異常発生時刻と患者ＩＤとを、ＬＡＮ１００を介して画像処理サーバ１２に送信する。異常発生時刻と患者ＩＤとを受信すると、制御部１２１は、画像データベース１２５から対応する動画データを抽出する。【選択図】  図１
2004227465.tif 000002
【特許請求の範囲】
【請求項１】
患者に関する情報を生成する患者情報生成手段と、前記患者情報生成手段が生成した情報を管理する管理手段とを備えた看護支援システムであって、
前記患者情報生成手段は、
患者の画像を撮像し、所定時間分の画像データを繰り返し生成する画像生成手段と、
前記画像生成手段が生成した画像データを、通信ネットワークを介して前記管理手段に送信する画像送信手段とを備え、
前記管理手段は、
前記画像送信手段から受信した画像データを記憶する画像記憶手段と、
患者の容態に異常が発生したタイミングを特定する異常発生時特定手段と、
少なくとも異常が発生したタイミング以降の画像が含まれる画像データを、前記画像記憶手段から抽出する画像抽出手段と、
前記画像抽出手段が抽出した画像データを表示する表示手段とを備えた
ことを特徴とする看護支援システム。
【請求項２】
患者情報生成手段は、
患者の容態を示す生体データを測定し、所定時間分の生体データを繰り返し生成する生体データ生成手段と、
前記生体データを、通信ネットワークを介して管理手段に送信する生体データ送信手段とを備え、
異常発生時特定手段は、前記生体データ送信手段から受信した生体データが所定の異常基準を満たしたタイミングを、異常が発生したタイミングと特定する
請求項１記載の看護支援システム。
【請求項３】
管理手段は、
生体データ送信手段から受信した生体データを記憶する生体データ記憶手段と、
少なくとも異常が発生したタイミング以降の生体データを、前記生体データ記憶手段から抽出する生体データ抽出手段とを備え、
表示手段は、前記生体データ抽出手段が抽出した生体データを表示する
請求項２記載の看護支援システム。
【請求項４】
生体データ生成手段は、画像生成手段が生成する画像データと同一時間分の生体データを繰り返し生成し、
画像生成手段と生体データ生成手段とは、所定時間で区切られる個々の画像データおよび個々の生体データの生成開始時を合致させる
請求項２または請求項３記載の看護支援システム。
【請求項５】
患者に関する情報を管理する管理手段が、患者に関する情報を生成する患者情報生成手段から情報を取得し、前記情報を出力することにより看護を支援する看護支援方法であって、
前記患者情報生成手段が、患者の画像を撮像し、所定時間分の画像データを繰り返し生成し、
前記患者情報生成手段が、患者の容態を示す生体データを測定し、所定時間分の生体データを繰り返し生成し、
前記患者情報生成手段が、前記画像データおよび前記生体データを、通信ネットワークを介して管理手段に送信し、
前記管理手段が、受信した生体データに基づいて患者の容態に異常が発生したタイミングを特定し、
前記管理手段が、少なくとも異常が発生したタイミング以降の画像が含まれる画像データを抽出し、
前記管理手段が、抽出した画像データを表示する
ことを特徴とする看護支援方法。
【請求項６】
患者に関する情報を表示する表示端末と、患者の画像データを管理する画像処理サーバとに接続され、患者の容態を示す生体データを管理する生体情報処理サーバに搭載される看護支援プログラムであって、
コンピュータに、
患者の容態を示す生体データを、通信ネットワークを介して患者の端末から受信する処理、
受信した生体データに基づいて患者の容態に異常が発生したタイミングを特定する処理、
異常が発生したタイミングの情報を、通信ネットワークを介して画像処理サーバに送信し、出力すべき画像データの選択を前記画像処理サーバに促す処理、および
前記表示端末からの要求に応じて、少なくとも異常が発生したタイミング以降の生体データを前記表示端末に送信する処理
を実行させるための看護支援プログラム。
【発明の詳細な説明】
【０００１】
【発明の属する技術分野】
本発明は、病院や在宅医療等の看護現場において、看護人の看護業務を支援する看護支援システム、看護支援方法、および看護支援プログラムに関する。
【０００２】
【従来の技術】
病院や在宅医療等の看護現場や介護現場において、病室内や患者自宅にいる患者と遠隔でコミュニケーションを行う際に、患者の様子を把握し効率的な看護を行うために、看護人が患者の映像を確認したり患者の生体データを確認できるようにすることが好ましい。
【０００３】
特許文献１には、ナースコールシステムを利用して迅速で適切な看護の援助を行うことができる看護支援装置が記載されている。特許文献１に記載された看護支援装置では、看護人は、呼び出された際に患者のリアルタイム映像を確認することができ、患者とのコミュニケーションの際に患者の顔色や様子等を把握することができる。また、看護人は、呼び出された際に、データベースに格納された患者のカルテ情報や看護記録情報等の患者情報を参照できる。
【０００４】
また、特許文献２には、１患者あたりの診断の所要時間を短くでき、効率的な在宅医療を行える在宅医療システムが記載されている。特許文献２に記載された在宅医療システムでは、患者宅で測定した患者の血圧値や脈拍数等の生体データを、通信ネットワークを介して医療センタに転送する。医療センタのデータ処理装置は、患者宅から送られる生体データが正常範囲にあるか否かを判定する。生体データが異常であると判定した場合には、データ処理装置は、ディスプレイ装置に患者の容態に異常が発生した旨および患者の生体データを表示する。
【０００５】
【特許文献１】
特開平９−４４５７２号公報（第４−５頁、第１−５図）
【特許文献２】
特開平９−１０１９９８号公報（第３−４頁、第１図）
【０００６】
【発明が解決しようとする課題】
特許文献１に記載された看護支援装置によれば、看護人は、ナースコールで呼び出された際に、患者のリアルタイム映像を確認することができる。また、データベースに格納された患者情報を確認することができる。しかし、データベースに格納された情報しか確認できないので、看護人は、必ずしも異常発生時刻の患者の画像や生体データを確認できるとは限らない。
【０００７】
また、特許文献２に記載された在宅医療システムによれば、看護人は、患者の容態に異常が発生した時点の生体データを確認することはできる。しかし、患者の容態に異常が発生した時点等の過去の患者の画像を確認することはできない。
【０００８】
そこで、本発明は、患者の容態に異常が発生した時点の過去の患者の画像を確認できるようにすることを目的とする。また、患者の容態に異常が発生した時点の過去の患者の生体データを確認できるようにすることを目的とする。
【０００９】
【課題を解決するための手段】
本発明による支援システムは、患者に関する情報を生成する患者情報生成手段（患者端末２０によって実現される）と、患者情報生成手段が生成した情報を管理する管理手段（管理システム１０によって実現される）とを備えた看護支援システムであって、患者情報生成手段は、患者の画像を撮像し、所定時間分の画像データを繰り返し生成する画像生成手段（カメラ２５と制御部２１とによって実現される）と、画像生成手段が生成した画像データを、通信ネットワークを介して管理手段に送信する画像送信手段（ネットワークインタフェース部２８と制御部２１とによって実現される）とを備え、管理手段は、画像送信手段から受信した画像データを記憶する画像記憶手段（画像データベース１２５によって実現される）と、患者の容態に異常が発生したタイミングを特定する異常発生時特定手段（制御部１１１によって実現される）と、少なくとも異常が発生したタイミング以降の画像が含まれる画像データを、画像記憶手段から抽出する画像抽出手段（制御部１２１によって実現される）と、画像抽出手段が抽出した画像データを表示する表示手段（表示部１４４と制御部１４１とによって実現される）とを備えたことを特徴とする。
【００１０】
患者情報生成手段は、患者の容態を示す生体データ（例えば、脈拍数や血圧値の情報）を測定し、所定時間分の生体データを繰り返し生成する生体データ生成手段（生体モニタ装置２９と制御部２１とによって実現される）と、生体データを、通信ネットワークを介して管理手段に送信する生体データ送信手段（ネットワークインタフェース部２８と制御部２１とによって実現される）とを備え、異常発生時特定手段は、生体データ送信手段から受信した生体データが所定の異常基準を満たしたタイミングを、異常が発生したタイミングと特定するものであってもよい。そのような構成によれば、管理システムは、患者端末からの生体データが予め定めた基準に適合するか否かを判断することにより、患者の容態に異常が発生したか否かを判定できる。
【００１１】
管理手段は、生体データ送信手段から受信した生体データを記憶する生体データ記憶手段（生体データベース１１５によって実現される）と、少なくとも異常が発生したタイミング以降の生体データを、生体データ記憶手段から抽出する生体データ抽出手段（制御部１１１によって実現される）とを備え、表示手段は、生体データ抽出手段が抽出した生体データを表示するものであってもよい。そのような構成によれば、看護人は、画像に加えて、患者の容態に異常が発生した時刻の生体データを画面上に表示して確認することができる。
【００１２】
生体データ生成手段は、画像生成手段が生成する画像データと同一時間分の生体データを繰り返し生成し、画像生成手段と生体データ生成手段とは、所定時間で区切られる個々の画像データおよび個々の生体データの生成開始時を合致させるものであってもよい。そのような構成によれば、異常発生時刻の情報に基づいて、異常発生時刻の画像が含まれる画像データを抽出し、且つ異常発生時刻の生体データを抽出することが容易となる。
【００１３】
本発明による看護支援方法は、患者に関する情報を管理する管理手段が、患者に関する情報を生成する患者情報生成手段から情報を取得し、情報を出力することにより看護を支援する看護支援方法であって、患者情報生成手段が、患者の画像を撮像し、所定時間分の画像データを繰り返し生成し、患者情報生成手段が、患者の容態を示す生体データを測定し、所定時間分の生体データを繰り返し生成し、患者情報生成手段が、画像データおよび生体データを、通信ネットワークを介して管理手段に送信し、管理手段が、受信した生体データに基づいて患者の容態に異常が発生したタイミングを特定し、管理手段が、少なくとも異常が発生したタイミング以降の画像が含まれる画像データを抽出し、管理手段が、抽出した画像データを表示することを特徴とする。
【００１４】
本発明による看護支援プログラムは、患者に関する情報を表示する表示端末（ナース端末１３によって実現される）と、患者の画像データを管理する画像処理サーバとに接続され、患者の容態を示す生体データを管理する生体情報処理サーバに搭載される看護支援プログラムであって、コンピュータに、患者の容態を示す生体データを、通信ネットワークを介して患者の端末から受信する処理、受信した生体データに基づいて患者の容態に異常が発生したタイミングを特定する処理、異常が発生したタイミングの情報（例えば、異常発生時刻の情報）を、通信ネットワークを介して画像処理サーバに送信し、出力すべき画像データの選択を前記画像処理サーバに促す処理、および表示端末からの要求に応じて、少なくとも異常が発生したタイミング以降の生体データを表示端末に送信する処理を実行させることを特徴とする。
【００１５】
【発明の実施の形態】
以下、本発明の実施の形態を図面を参照して説明する。本実施の形態では、看護支援システムを、病院内で使用されるナースコールシステムに適用した場合を例に説明する。図１は、本発明による看護支援システムを適用したナースコールシステムの構成の例を示すブロック図である。図１に示すように、ナースコールシステムは、病院内のナースステーション等に設置される管理システム１０と、病室に設置される患者端末２０とを含む。患者端末２０は１台に限られず、各患者毎に設置される。管理システム１０と患者端末２０とは、病院内のＬＡＮ（Ｌｏｃａｌ  Ａｒｅａ  Ｎｅｔｗｏｒｋ）１００を介して接続される。なお、管理システム１０と患者端末２０とを接続する通信ネットワークはＬＡＮに限られない。
【００１６】
病室の患者は、患者端末２０を操作することによってナースステーション内の看護士等にナースコールを行う。また、患者は、患者端末２０を操作することによって、看護士等と映像および音声によりコミュニケーションを行う。すなわち、患者端末２０は、ナースコール子機としての役割を果たす。
【００１７】
管理システム１０は、患者端末２０からの生体データを処理する生体情報処理サーバ１１と、患者端末２０からの画像データを処理する画像処理サーバ１２と、看護士等が使用するナース端末１３とを含む。患者端末２０からナースコールを受信すると、ナース端末１３は、着信音（例えば、ブザー音）を発生してナースステーション内の看護士等に通知する。また、看護士等は、ナース端末１３を操作することによって、患者と映像および音声によりコミュニケーションを行う。すなわち、ナース端末１３は、ナースコール親機としての役割を果たす。
【００１８】
図２は、生体情報処理サーバ１１、画像処理サーバ１２、およびナース端末１３の構成の例を示すブロック図である。生体情報処理サーバ１１は、データベースサーバ等の情報処理装置である。図２に示すように、生体情報処理サーバ１１は、プログラム等を記憶する記憶装置１１２と、記憶装置１１２に記憶されるプログラムを実行する制御部１１１と、キーボードやマウス等の入力装置である入力部１１３と、ディスプレイ装置等の表示部１１４と、患者端末２０からの生体データを記憶する生体データベース１１５と、ＬＡＮボード等のネットワークインタフェース部１１６とを含む。
【００１９】
画像処理サーバ１２は、データベースサーバ等の情報処理装置である。図２に示すように、画像処理サーバ１２は、プログラム等を記憶する記憶装置１２２と、記憶装置１２２に記憶されるプログラムを実行する制御部１２１と、キーボードやマウス等の入力装置である入力部１２３と、ディスプレイ装置等の表示部１２４と、患者端末２０からの画像データを記憶する画像データベース１２５と、ＬＡＮボード等のネットワークインタフェース部１２６とを含む。
【００２０】
ナース端末１３は、図２に示すように、パーソナルコンピュータ等の情報処理端末１４と、ブザー装置等の着信音発生部１３１と、ＣＣＤカメラ等のカメラ１３２と、マイクロフォン等の音声入力部１３３と、スピーカ等の音声出力部１３４とを含む。また、情報処理端末１４は、プログラム等を記憶する記憶装置１４２と、記憶装置１４２に記憶されるプログラムを実行する制御部１４１と、キーボードやマウス等の入力装置である入力部１４３と、ディスプレイ装置等の表示部１４４と、ＬＡＮボード等のネットワークインタフェース部１４５とを含む。ナースコールされた患者端末２０と通信を行う場合や異常発生時刻の画像データや生体データを要求する場合に、入力部１４３によって看護士等からの指示が入力される。
【００２１】
図３は、患者端末２０の構成の例を示すブロック図である。図３に示すように、患者端末２０は、プログラム等を記憶するＲＯＭ（Ｒｅａｄ  Ｏｎｌｙ  Ｍｅｍｏｒｙ）等の記憶装置２２と、記憶装置２２に記憶されるプログラムを実行する制御部２１と、ＬＣＤ（Ｌｉｑｕｉｄ  Ｃｒｙｓｔａｌ  Ｄｉｓｐｌａｙ）等の表示部２３と、患者が看護士等を呼び出すための呼出ボタン２４と、ＣＣＤカメラ等のカメラ２５と、マイクロフォン等の音声入力部２６と、スピーカ等の音声出力部２７と、ＬＡＮボード等のネットワークインタフェース部２８と、患者の生体データを測定する生体モニタ装置２９とを含む。生体モニタ装置２９は、生体データを測定する測定装置である。生体モニタ装置２９は、測定対象の生体データを測定する構成であればよい。例えば、患者の脈拍数や血圧値を測定対象とする場合には、生体モニタ装置２９は、脈拍数や血圧値を測定する構成であればよい。
【００２２】
患者情報生成手段は、患者端末２０によって実現される。管理手段は、管理システム１０によって実現される。異常発生時特定手段、および生体データ抽出手段は、生体情報処理サーバ１１の制御部１１１によって実現される。生体データ受信手段は、生体情報処理サーバ１１のネットワークインタフェース部１１６と制御部１１１とによって実現される。生体データ記憶手段は、生体情報処理サーバ１１の生体データベース１１５によって実現される。画像受信手段は、画像処理サーバ１２のネットワークインタフェース部１２６と制御部１２１とによって実現される。画像記憶手段は、画像処理サーバ１２の画像データベース１２５によって実現される。画像抽出手段は、画像処理サーバ１２の制御部１２１によって実現される。表示手段は、ナース端末１３の表示部１４４と制御部１４１とによって実現される。
【００２３】
画像生成手段は、患者端末２０のカメラ２５および制御部２１によって実現される。画像送信手段、および生体データ送信手段は、患者端末２０のネットワークインタフェース部２８と制御部２１とによって実現される。生体データ生成手段は、患者端末２０の生体モニタ装置２９および制御部２１によって実現される。
【００２４】
本実施の形態において、生体情報処理サーバ１１の記憶装置１１２は、コンピュータに、患者の容態を示す生体データを、通信ネットワークを介して患者の端末から受信する処理、受信した生体データに基づいて患者の容態に異常が発生したタイミングを特定する処理、異常が発生したタイミングの情報を、通信ネットワークを介して画像処理サーバに送信し、出力すべき画像データの選択を前記画像処理サーバに促す処理、および表示端末からの要求に応じて、少なくとも異常が発生したタイミング以降の生体データを表示端末に送信する処理を実行させるための看護支援プログラムを記憶する。
【００２５】
次に、動作について説明する。図４は、画像データおよび生体データを抽出し表示する処理経過の例を示す流れ図である。ここでは、生体データとして脈拍数と血圧値とを測定する場合を例に説明する。患者端末２０の制御部２１は、カメラ２５によって病室内の患者を常時撮影する。そして、制御部２１は、所定時間分の画像データの生成を繰り返す。制御部２１は、所定時間分の画像データを生成したならば、次の画像データの生成を開始する。このようにして、制御部２１は、所定時間間隔に区切られた画像データを次々と生成していく。
【００２６】
例えば、制御部２１は、Ｘ分毎にＸ分間隔に区切られた動画データを生成して出力する。動画データを生成すると、制御部２１は、生成した動画データを、ＬＡＮ１００を介して管理システム１０の画像処理サーバ１２に送信する（ステップＳ１０１）。なお、画像データは、動画データに限らず、静止画データであってもよい。
【００２７】
動画データを送信する際に、制御部２１は、動画データに、患者端末２０を使用する患者を識別するための識別子を付加して送信する。以下、患者を識別するための識別子を患者ＩＤと記す。また、制御部２１は、送信する動画データの映像開始時刻を算出する。以下、動画の撮影を開始した時間を動画開始時刻と記す。制御部２１は、動画データに、算出した動画開始時刻の情報を付加して送信する。
【００２８】
例えば、Ｘ分毎に動画データを生成する場合を例に説明する。カメラ２５によって「時刻Ｙ」から「Ｘ分」の間に撮影した動画データを生成したとすると、制御部２１は、例えば、「時刻Ｙ」という動画開始時刻の情報を動画データのファイル名として付加する。そして、制御部２１は、動画開始時刻と患者ＩＤとの情報を付加した動画データを、ＬＡＮ１００を介して画像処理サーバ１２に送信する。
【００２９】
画像処理サーバ１２は、ＬＡＮ１００を介して患者端末２０から動画データを受信する。動画データを受信すると、画像処理サーバ１２の制御部１２１は、受信した動画データを画像データベース１２５に記憶させる（ステップＳ１０２）。動画データを記憶させる際に、制御部１２１は、動画データに付加されている患者ＩＤおよび動画開始時刻の情報を、動画データと対応づけて画像データベース１２５に記憶させる。
【００３０】
患者端末２０の制御部２１は、動画データを生成するのと同じタイミングで、各動画データに対応する生体データのファイルを生成することを繰り返す。以下、生成される生体データのファイルを生体データファイルと記す。制御部２１は、動画データと同じ所定時間間隔の間に生体モニタ装置２９によって測定された患者の脈拍数および血圧値の全ての値を含む生体データファイルを生成する。
【００３１】
例えば、Ｘ分毎にＸ分間隔に区切られた動画データを生成する場合には、制御部２１は、動画データを生成するのと同じタイミングで、Ｘ分毎にＸ分間に測定した脈拍数および血圧値の全ての値とそれらの値を測定した時間との情報を含む生体データファイルを生成する。すなわち、制御部２１は、画像データと同一時間分の生体データを生成する。生体データファイルを生成すると、制御部２１は、生体データファイルを、ＬＡＮ１００を介して管理システム１０の生体情報処理サーバ１１に送信する（ステップＳ１０３）。制御部２１は、ステップＳ１０１における画像データを生成する処理と、ステップＳ１０３における生体データファイルを生成する処理とを、同じタイミングで開始し終了する。
【００３２】
生体データを送信する際に、制御部２１は、生体データファイルに患者ＩＤを付加して送信する。また、制御部２１は、送信する生体データフィアルに含まれる生体データの測定開始時刻を算出する。以下、生体データの測定開始時刻を単に測定開始時刻と記す。制御部２１は、生体データファイルに、算出した測定開始時刻の情報を付加して送信する。
【００３３】
例えば、Ｘ分毎に動画データを生成する場合を例に説明する。この場合には、制御部２１は、動画データ生成と同じタイミングで、Ｘ分毎に生体データファイルを生成する。カメラ２５によって「時刻Ｙ」から「Ｘ分」の間に撮影された動画データを生成したとすると、制御部２１は、生体モニタ装置２９によって「時刻Ｙ」から「Ｘ分」の間に測定した脈拍数および血圧値の全ての値を含む生体データファイルを生成する。制御部２１は、例えば、「時刻Ｙ」という測定開始時刻の情報を生体データファイル名として付加する。そして、制御部２１は、測定開始時刻と患者ＩＤとの情報を付加した生体データフィアルを、ＬＡＮ１００を介して生体情報処理サーバ１１に送信する。
【００３４】
生体情報処理サーバ１１は、ＬＡＮ１００を介して患者端末２０から生体データファイルを受信する。生体データファイルを受信すると、生体情報処理サーバ１１の制御部１１１は、受信した生体データファイルを生体データベース１１５に記憶させる（ステップＳ１０４）。生体データファイルを記憶させる際に、制御部１１１は、生体データファイルに付加されている患者ＩＤおよび測定開始時刻の情報を、生体データファイルに対応づけて生体データベース１１５に記憶させる。
【００３５】
制御部１１１は、受信した生体データファイルに含まれる脈拍数および血圧値の各値がそれぞれ予め定めた値の範囲内であるか否かを判定する（ステップＳ１０５）。脈拍数および血圧値の値の全てが予め定めた異常を示す範囲に該当しない場合には、制御部１１１は、生体データを正常であると判定する。すなわち、制御部１１１は、患者の容態は正常であると判定する。脈拍数または血圧値のうちの少なくとも１つが予め定めた異常を示す範囲に該当する場合には、制御部１１１は、生体データに異常が発生したと判定する。すなわち、制御部１１１は、患者の容態に異常が発生したと判定する。生体データが正常であると判定した場合、制御部１１１は、患者端末２０から生体データファイルを再度受信するまで待機し、受信したときはステップＳ１０４以降の処理を繰り返す。
【００３６】
生体データに異常が発生したと判定した場合には、制御部１１１は、生体データに含まれる情報のうち、予め定めた値の範囲を超える脈拍数または血圧値に対応する測定時刻を、異常発生時刻として抽出する（ステップＳ１０６）。そして、制御部１１１は、抽出した異常発生時刻と、生体データに付加されている患者ＩＤとの情報を、ＬＡＮ１００を介して画像処理サーバ１２に送信する（ステップＳ１０７）。
【００３７】
画像処理サーバ１２は、異常発生時刻および患者ＩＤの情報を、ＬＡＮ１００を介して生体情報処理サーバ１１から受信する。そして、画像処理サーバ１２の制御部１２１は、受信した異常発生時刻および患者ＩＤの情報に基づいて、画像データベース１２５から動画データを抽出する（ステップＳ１０８）。そして、制御部１２１は、抽出した動画データを記憶装置１２２等に保持させる。
【００３８】
例えば、生体情報処理サーバ１１から受信した異常発生時刻が「時刻Ｙ」から「Ｘ分」の間の時刻であったとすると、制御部１２１は、対応する動画データの映像開始時刻が「時刻Ｙ」であると判断する。従って、制御部１２１は、画像データベース１２５から、ファイル名として「時刻Ｙ」という映像開始時刻の情報が付加された動画データを抽出する。
【００３９】
生体情報処理サーバ１１の制御部１１１は、異常発生時刻および患者ＩＤの情報に基づいて、生体データベース１１５から生体データを抽出する（ステップＳ１０９）。そして、制御部１１１は、抽出した生体データを記憶装置１１２等に保持させる。
【００４０】
例えば、異常発生時刻が「時刻Ｙ」から「Ｘ分」の間の時間であったとすると、制御部１１１は、対応する生体データの測定開始時刻が「時刻Ｙ」であると判断する。従って、制御部１１１は、生体データベース１１５から、ファイル名として「時刻Ｙ」という測定開始時刻の情報が付加された生体データファイルを抽出する。
【００４１】
病室内の患者は、体調の不調を感じると、患者端末２０の呼出ボタン２４を押してナースステーション内の看護士等にナースコールをする。呼出ボタン２４が押されると、患者端末２０の制御部２１は、ナースコールした旨の情報を、ＬＡＮ１００を介してナース端末１３の情報処理端末１４に送信する（ステップＳ１１０）。
【００４２】
情報処理端末１４は、ナースコールした旨の情報を、ＬＡＮ１００を介して患者端末２０から受信する。ナースコールした旨の情報を受信すると、情報処理端末１４の制御部１４１は、着信音発生部１３１に着信音（例えば、ブザー音）を発生させる。看護士等がナース端末１３を操作して応答すると、ナース端末１３と患者端末２０とは、ＬＡＮ１００を介して相互に通信を開始する（ステップＳ１１１，Ｓ１１２）。ステップＳ１１１において、ナース端末１３は、カメラ１３２、音声入力部１３３、および音声出力部１３４からの入出力に従って、患者端末２０と画像および音声により通信を行う。すなわち、ナース端末１３は、ステップＳ１１１において、ナースコール時における患者のリアルタイム画像を表示する。また、患者端末２０は、カメラ２５、音声入力部２６、および音声出力部２７からの入出力に従って、ナース端末１３と画像および音声により通信を行う。
【００４３】
情報処理端末１４の制御部１４１は、看護士等から異常発生時刻の動画データの要求が入力されると、動画データを要求する旨の情報を、ＬＡＮ１００を介して画像処理サーバ１２に送信する（ステップＳ１１３）。画像処理サーバ１２は、動画データを要求する旨の情報を、ＬＡＮ１００を介して情報処理端末１４から受信する。動画データを要求する旨の情報を受信すると、画像処理サーバ１２の制御部１２１は、記憶装置１２２等に保持する異常発生時刻の動画データを、ＬＡＮ１００を介して情報処理端末１４に送信する（ステップＳ１１４）。
【００４４】
情報処理端末１４は、異常発生時刻の動画データを、ＬＡＮ１００を介して画像処理サーバ１２から受信する。そして、情報処理端末１４の制御部１４１は、受信した異常発生時刻の動画データを再生し表示部１４４に表示させる（ステップＳ１１５）。
【００４５】
情報処理端末１４の制御部１４１は、看護士等から異常発生時刻の生体データの要求が入力されると、生体データを要求する旨の情報を、ＬＡＮ１００を介して生体情報処理サーバ１１に送信する（ステップＳ１１６）。生体情報処理サーバ１１は、生体データを要求する旨の情報を、ＬＡＮ１００を介して情報処理端末１４から受信する。生体データを要求する旨の情報を受信すると、生体情報処理サーバ１１の制御部１１１は、記憶装置１１２等に保持する異常発生時刻の生体データファイルを、ＬＡＮ１００を介して情報処理端末１４に送信する（ステップＳ１１７）。
【００４６】
情報処理端末１４は、異常発生時刻の生体データファイルを、ＬＡＮ１００を介して生体情報処理サーバ１１から受信する。そして、情報処理端末１４の制御部１４１は、異常発生時刻の生体データを表示部１４４に表示させる（ステップＳ１１８）。なお、ステップＳ１０８及びステップＳ１０９では、生体情報処理サーバ１１及び画像処理サーバ１２は、動画データ及び生体データファイルの特定のみを行い、ナース端末１３から要求があった場合に特定した画像データ及び生体データを抽出して送信してもよい。
【００４７】
なお、ステップＳ１１３からステップＳ１１５までの処理において、画像処理サーバ１２は、入力部１２３から看護士等の要求を受け付け、表示部１２４に画像データを表示してもよい。同様に、生体情報処理サーバ１１は、入力部１１３から看護士等の要求を受け付け、表示部１１４に生体データを表示してもよい。また、動画データおよび生体データをナース端末１３の表示部１４４にのみ表示する場合には、生体情報処理サーバ１１および画像処理サーバ１２は、入力部１１３、表示部１１４、入力部１２３、および表示部１２４を含まないものであってもよい。
【００４８】
以上のように、本実施の形態によれば、患者のリアルタイムの画像を確認するだけでなく、患者の容態に異常が発生した時刻の過去の画像を確認できる。よって、看護士等は、患者の容態の異常がどのように発生したのかを把握することができ、異常の発生時刻から現在までの患者の容態の変化を把握することができる。従って、看護士等が現在および過去の画像を確認しながら適切且つ迅速な対応を行えるように看護支援を行うことができる。
【００４９】
また、本実施の形態によれば、患者の容態に異常が発生した時刻の過去の生体データを確認できる。よって、看護士等は、生体データを確認することによっても患者の容態の異常がどのように発生したのかを把握することができ、異常の発生時刻から現在までの患者の容態の変化を把握することができる。従って、看護士等が現在および過去の生体データを確認しながら適切且つ迅速な対応を行えるように看護支援を行うことができる。
【００５０】
さらに、本実施の形態によれば、患者と看護士等とが、相互に通信ネットワークを介して画像および音声を用いてコミュニケーションを行うことができる。よって、看護士等は、直接に病室に行かなくても患者の容態や状況を把握することができる。従って、同時にナースコールが複数発生した場合等に、いずれの患者を優先的に処置すべきか判断しやすくなり、適切且つ迅速な看護支援を行うことができる。
【００５１】
なお、ナース端末１３の情報処理端末１４は、異常発生時刻の画像データまたは生体データに限らず、過去の任意の時点の画像データまたは生体データを、生体情報処理サーバ１１または画像処理サーバ１２に要求できるようにしてもよい。そして、情報処理端末１４は、生体情報処理サーバ１１または画像処理サーバ１２から取得した過去の任意の時点の画像データまたは生体データを表示できるようにしてもよい。
【００５２】
また、患者端末２０は、生体データの送信を上記ステップＳ１０３と同様に行い、画像データに関しては、異常発生後に送信するようにしてもよい。この場合、患者端末２０が生体データに異常が発生したか否かを判定する。患者端末２０は、異常検知前から、ステップＳ１０３と同様に、生体データを生体情報処理サーバ１１に送信する。そして、患者端末２０は、異常が発生したと判定したならば、その旨を生体情報処理サーバ１１に通知する。生体情報処理サーバ１１は、患者端末２０からの異常発生通知に基づいて異常発生時刻を特定する。また、患者端末２０は、異常検知前は、画像データを送信せず、異常検知後に、異常発生時刻以降の画像データを画像処理サーバ１２に送信する。画像処理サーバ１２は、この画像データを記憶する。ナースコール時の動作は、ステップＳ１１０，Ｓ１１１と同様である。生体情報処理サーバ１１および画像処理サーバ１２は、ステップＳ１１３〜Ｓ１１８と同様に、ナース端末１３からの要求に応じて異常発生時刻以降の画像データまたは生体データを送信する。そのような構成によれば、異常発生判定前には、画像データの送受信を行わないので、画像処理サーバ１２の画像データベース１２５に記憶させる画像データの容量を低減することができる。
【００５３】
さらに、患者端末２０は、生体データおよび画像データの随時送信は行わず、生体データに異常が発生したと判定した場合に、異常発生時刻から患者がナースコールするまでの間の画像データおよび生体データを蓄積するようにし、画像データの生成処理を異常検知後に行うようにしてもよい。この場合、患者がナースコールした際に、患者端末２０は、異常検知後に蓄積した画像データおよび生体データを、ＬＡＮ１００を介して画像処理サーバ１２および生体情報処理サーバ１１に送信する。そして、患者端末２０は、患者がナースコールをしてから患者と看護士等との間の通信が終了するまでの間のみ、画像データと生体データとを、随時ＬＡＮ１００を介して画像処理サーバ１２と生体情報処理サーバ１１とに送信する。ナースコール終了後、患者端末２０は画像データ生成を終了する。そのような構成によれば、さらに、生体情報処理サーバ１１の生体データベース１１５に記憶させる生体データの容量を低減することができる。
【００５４】
本実施の形態では、看護支援システムをナースコールシステムに適用した場合を例に説明したが、本実施の形態で示した構成は、在宅看護システム等の他の看護支援システムとしても適用できる。すなわち、例えば、在宅看護システムにおける医療センタ等に管理システム１０を設置し各患者の自宅に患者端末２０を設置して、管理システム１０と患者端末２０とをデジタル公衆回線網等の通信ネットワークで接続することによって看護支援システムを実現可能である。
【００５５】
また、本実施の形態では、管理システム１０が生体情報処理サーバ１１および画像処理サーバ１２の２台のデータベースサーバを含む場合を例に説明したが、１台のデータベースサーバによって生体情報処理サーバ１１および画像処理サーバ１２の構成が実現されるものであってもよい。
【００５６】
【発明の効果】
本発明による看護支援システムによれば、患者情報生成手段は、患者の画像を撮像し、所定時間分の画像データを繰り返し生成する画像生成手段と、画像生成手段が生成した画像データを、通信ネットワークを介して管理手段に送信する画像送信手段とを備え、管理手段は、画像送信手段から受信した画像データを記憶する画像記憶手段と、患者の容態に異常が発生したタイミングを特定する異常発生時特定手段と、少なくとも異常が発生したタイミング以降の画像が含まれる画像データを、画像記憶手段から抽出する画像抽出手段と、画像抽出手段が抽出した画像データを表示する表示手段とを備えるように構成したので、患者のリアルタイムの画像を確認するだけでなく、患者の容態に異常が発生した時点での過去の画像を確認できる。従って、看護人が現在および過去の画像を確認しながら適切且つ迅速な対応を行えるように看護支援を行うことができる。
【００５７】
本発明による看護支援方法によれば、患者情報生成手段が、患者の画像を撮像し、所定時間分の画像データを繰り返し生成し、患者情報生成手段が、患者の容態を示す生体データを測定し、所定時間分の生体データを繰り返し生成し、患者情報生成手段が、画像データおよび生体データを、通信ネットワークを介して管理手段に送信し、管理手段が、受信した生体データに基づいて患者の容態に異常が発生したタイミングを特定し、管理手段が、少なくとも異常が発生したタイミング以降の画像が含まれる画像データを抽出し、管理手段が、抽出した画像データを表示するので、患者のリアルタイムの画像を確認するだけでなく、患者の容態に異常が発生した時点での過去の画像を確認できる。従って、看護人が現在および過去の画像を確認しながら適切且つ迅速な対応を行えるように看護支援を行うことができる。
【００５８】
本発明による看護支援プログラムによれば、コンピュータに、患者の容態を示す生体データを、通信ネットワークを介して患者の端末から受信する処理、受信した生体データに基づいて患者の容態に異常が発生したタイミングを特定する処理、異常が発生したタイミングの情報を、通信ネットワークを介して画像処理サーバに送信し、出力すべき画像データの選択を前記画像処理サーバに促す処理、および表示端末からの要求に応じて、少なくとも異常が発生したタイミング以降の生体データを表示端末に送信する処理を実行させるので、患者のリアルタイムの画像を確認するだけでなく、患者の容態に異常が発生した時点での過去の画像を確認できる。従って、看護人が現在および過去の画像を確認しながら適切且つ迅速な対応を行えるように看護支援を行うことができる。
【図面の簡単な説明】
【図１】本発明による看護支援システムを適用したナースコールシステムの構成の一例を示すブロック図である。
【図２】管理システムの構成の一例を示すブロック図である。
【図３】患者端末の構成の一例を示すブロック図である。
【図４】画像データおよび生体データを抽出し表示する処理経過の一例を示す流れ図である。
【符号の説明】
１０  管理システム
１１  生体情報処理サーバ
１２  画像処理サーバ
１３  ナース端末
１１１，１２１，１４１，２１  制御部
１１２，１２２，１４２，２２  記憶装置
１３１  着信音発生部
１３２，２５  カメラ
１３３，２６  音声入力部
１３４，２７  音声出力部
１４４，２３  表示部
１１５  生体データベース
１２５  画像データベース
２０  患者端末
２４  呼出ボタン
１００  ＬＡＮ
【図１】
2004227465.tif 000003
【図２】
2004227465.tif 000004
【図３】
2004227465.tif 000005
【図４】
2004227465.tif 000006